(57)【要約】冷蔵庫は、引出し式扉の野菜室扉（１０６ａ）を備え、野菜室扉（１０６ａ）には、ワイヤレス給電装置（１１３）の受電側回路部（１１５）が設けられ、受電側回路部（１１５）の２次側コイル（１２６）に面する筐体側の断熱仕切板（１０９）には、送電側回路部（１１４）の１次側コイル（１２４）が設置されている。
2017085913.tif 000002
【特許請求の範囲】
【請求項１】
断熱壁で構成された筐体と、前記筐体内に設けられた複数の収納室と、前記複数の収納室を開閉自在に閉塞する複数の扉と、前記複数の扉の少なくとも一つを開閉させるための電力を供給するワイヤレス給電装置とを備え、前記ワイヤレス給電装置は、送電側回路部および受電側回路部を有し、前記送電側回路部は、前記筐体に配置され、前記受電側回路部は、前記複数の扉の少なくとも一つに配置された冷蔵庫。
【請求項２】
前記送電側回路部は、１次側コイルを有し、前記１次側コイルは、前記筐体の、前記複数の扉の少なくとも一つと面する壁の内部または表面に配置され、前記受電側回路部は、２次側コイルを有し、前記２次側コイルは、前記複数の扉の少なくとも一つの壁の内部または表面の、前記１次側コイルと対向する位置に配置された請求項１に記載の冷蔵庫。
【請求項３】
前記複数の扉の少なくとも一つおよび前記筐体の少なくとも一方に、前記複数の扉の少なくとも一つの開閉状態を検知する扉開閉状態検知部が設けられ、前記扉開閉状態検知部からの信号により前記ワイヤレス給電装置が制御されるよう構成された請求項１または２に記載の冷蔵庫。
【請求項４】
前記筐体には、前記複数の扉の少なくとも一つを自動開閉させる扉開閉部が設けられ、前記扉開閉部の動作を操作する操作部が前記複数の扉の少なくとも一つに設けられ、前記ワイヤレス給電装置により、前記操作部へ電力供給が行われる請求項１から３のいずれか一項に記載の冷蔵庫。
【請求項５】
前記複数の扉の少なくとも一つには、前記複数の扉の少なくとも一つの表面で視覚的な表示が行われるよう構成された表示装置が設けられ、前記ワイヤレス給電装置により前記表示装置への電力供給が行われるよう構成された請求項１から４のいずれか一項に記載の冷蔵庫。
【請求項６】
前記複数の扉の少なくとも一つの前記ワイヤレス給電装置の前記受電側回路部には、充電部が設けられ、前記充電部からの電力供給により、前記複数の扉の少なくとも一つが開扉状態でも、前記複数の扉の少なくとも一つに設けられた制御負荷が動作される請求項１から５のいずれか一項に記載の冷蔵庫。
【請求項７】
前記複数の扉の少なくとも一つには、照明装置が設けられ、前記照明装置への電力供給は前記ワイヤレス給電装置により行われ、前記照明装置により、前記複数の収納室のうち、前記複数の扉の少なくとも一つを有する収納室の内部または外部を照射するよう構成された請求項１から６のいずれか一項に記載の冷蔵庫。
【請求項８】
前記複数の扉の少なくとも一つは、引出し式扉で構成された請求項１から７のいずれか一項に記載の冷蔵庫。
【発明の詳細な説明】
【技術分野】
【０００１】
本発明は、収納室の扉側に電気的な制御負荷が搭載された冷蔵庫に関する。
【背景技術】
【０００２】
近年では、食生活の変化および郊外型の大型スーパーマーケットの増加などから、日々買い物をする習慣が薄れて来ており、例えば１週間分の食料品を纏め買いして冷蔵庫に保存しておくような傾向が強くなっている。また、比較的大型の冷蔵庫を使用する高齢者が増加しており、そのようなユーザにとって、纏め買いした食品および扉の総重量が重く、収納室の開閉が負担に感じられるようになってきている。【０００３】
このような手動開扉による収納室の開閉の課題に対し、収納室の引出し扉の開扉負担を軽減する冷蔵庫として、ソレノイドを使用したアクチュエータにより自動開扉させ、その操作部が開扉される扉前面に設けられるものがある（例えば、特許文献１参照）。【０００４】
図１１は、特許文献１に記載された従来の冷蔵庫の冷凍室２の引出し式扉の閉扉状態での縦断面図であり、図１２は、特許文献１に記載された従来の冷蔵庫の扉開放ユニット部分の分解斜視図である。図１１および図１２において、扉開放ユニット１５は、仕切壁部１３に埋設されており、扉開放ユニット１５内部にあるソレノイド１８が通電されることにより、プランジャ２２を介して押し棒２３の先端部が前方へ延び出され、冷凍室扉９の開扉動作が行われる。扉開放ユニット１５により開扉させるためのトリガ信号は、スイッチ１６が押し込まれることにより、内蔵のマグネットが、仕切壁部１３にあるホールＩＣ等の磁気センサに近づくことで発信される。このようなトリガ信号により、ユーザが開扉の操作をしたとの判断を本体の制御マイコンが行う。【０００５】
しかしながら、上記のような従来の構成では、冷凍室扉９が引出し式扉で構成されているため、筐体と引出し式扉との間の電気的な接続の難易度は非常に高い。有線ハーネス接続では、ユーザが掃除およびメンテナンス等のために、引出し扉を取り出すことができない。たとえ有線ハーネスで筐体と引出し式扉とを接続したとしても、有線ハーネスの屈曲および伸縮の繰り返し、並びに、有線ハーネスが受ける温度差衝撃等により、信頼性に劣る冷蔵庫しか得られない。このため、扉開放ユニット１５等の自動開閉機構により開扉させるための開扉操作のトリガ信号としては、従来のように機械的なスイッチが用いられるのが一般的である。しかし、機械的なスイッチが用いられる従来の構成においては、スイッチ操作において、一定の動作ストロークおよび操作力が必要なため、開扉させるためのトリガ信号を発生させるための操作性がユニバーサルデザイン（ＵＤ）視点で劣る。また、ユーザが両手に食品等を保持している場合などは、スイッチ操作を行うことが困難であり、保持している食品等を一旦手放して、スイッチ操作を行う必要がある。
【先行技術文献】
【特許文献】
【０００６】
【特許文献１】特開２００９−１４４９３１号公報
【発明の概要】
【０００７】
本開示は、上記のような課題に鑑みてなされたものであり、開閉扉の操作を、扉に触れる等するだけで行える、操作のＵＤ性能が向上された、かつ、信頼性の高い冷蔵庫を提供する。
【０００８】
具体的には、本開示の実施の形態の一例による冷蔵庫は、断熱壁で構成された筐体と、筐体内に備えられた複数の収納室と、複数の収納室を開閉自在に閉塞する複数の扉とを備える。また、本開示の実施の形態の一例による冷蔵庫は、複数の扉の少なくとも一つに設けられた操作部等の制御負荷に電力を給電するためのワイヤレス給電装置を有する。ワイヤレス給電装置は、送電側回路部および受電側回路部を有し、送電側回路部は筐体側に配置され、受電側回路部は扉側に配置されている。
【０００９】
このような構成により、扉側への筐体側からの給電が、ハーネス等が不要の無線で行われることが可能となり、扉側に電気的な制御負荷を搭載させることが可能となる。これにより、静電容量式タッチセンサ等の電気式インターフェイス装置を扉側に搭載させることができるため、開扉操作は、扉に触れる等するだけで行える、操作のＵＤ性能が向上された高い冷蔵庫を提供することができるとともに、ハーネス等の損傷の心配のない信頼性の高い冷蔵庫を提供することができる。
【図面の簡単な説明】
【００１０】
【図１】図１は、本開示の実施の形態１による冷蔵庫の正面図である。
【図２Ａ】図２Ａは、本開示の実施の形態１による冷蔵庫の図１の野菜室の２Ａ−２Ａ断面図である。
【図２Ｂ】図２Ｂは、本開示の実施の形態１による冷蔵庫の野菜室部分の斜視図である。
【図３】図３は、本開示の実施の形態１による冷蔵庫の筐体の部分拡大図である。
【図４】図４は、本開示の実施の形態１による冷蔵庫の図２のＡ部の構成を示す概略図である。
【図５】図５は、本開示の実施の形態1による冷蔵庫の受電側回路部の外観斜視図である。
【図６】図６は、本開示の実施の形態１による冷蔵庫の動作フローチャートである。
【図７】図７は、本開示の実施の形態２による冷蔵庫の開扉状態での野菜室の縦断面図である。
【図８】図８は、本開示の実施の形態２による冷蔵室の図７のＢ部の構成を示す概略図である。
【図９】図９は、本開示の実施の形態２による冷蔵庫の動作フローチャートである。
【図１０】図１０は、本開示の実施の形態２による冷蔵庫の別の動作フローチャートである。
【図１１】図１１は、従来の冷蔵庫の引出し式扉を有する冷凍室部分の閉扉状態での縦断面図である。
【図１２】図１２は、従来の冷蔵庫の扉開放ユニット部分の分解斜視図である。
【発明を実施するための形態】
【００１１】
以下、本開示の実施の形態の例を、図面を参照しながら説明する。なお、この実施の形態によって本発明が限定されるものではない。
【００１２】
（実施の形態１）
図１は、本開示の実施の形態１による冷蔵庫の正面図である。図２Ａは、本開示の実施の形態１による冷蔵庫の図１の野菜室の２Ａ−２Ａ断面図であり、図２Ｂは、本開示の実施の形態１による冷蔵庫の野菜室部分の斜視図である。また、図３は、本開示の実施の形態１による冷蔵庫の筐体の部分拡大図である。図４は、本開示の実施の形態１による冷蔵庫の図２ＡのＡ部の構成を示す概略図であり、図５は、本開示の実施の形態1による冷蔵庫の受電側回路部の外観斜視図である。図６は、本開示の実施の形態１による冷蔵庫の動作フローチャートである。
【００１３】
図１から図３において、本実施の形態の冷蔵庫１００は、筐体１０１を有し、筐体１０１は、主に鋼板を用いて形成された外箱と、ＡＢＳ樹脂などの樹脂で成形された内箱と、外箱と内箱との間に注入された断熱材とで構成されている。
【００１４】
筐体１０１は、複数の収納室に断熱区画されており、最上部に冷蔵室１０２と、冷蔵室１０２の下部には、製氷室１０３および切換室１０４が互いに横並びに設けられている。製氷室１０３および切換室１０４の下部には、冷凍室１０５、最下部には、野菜室１０６がそれぞれ配置されている。また、筐体１０１の前面開口部の各収納室の前面には、外気と区画するための断熱扉がそれぞれ設けられている。冷蔵室１０２の断熱扉である冷蔵室扉１０２ａは、観音開き式で構成されている。冷蔵室扉１０２ａの中央部付近には、表示操作部１０８が設けられ、表示操作部１０８により、各収納室の庫内温度設定、製氷および急速冷却などの設定を行うことができる。
【００１５】
冷蔵室１０２内の最上部の後方領域に形成された機械室内には、圧縮機、および、水分除去を行うドライヤ等の冷凍サイクルの構成部品が収納されている。冷凍室１０５の背面には、冷気を生成する冷却室が設けられている。冷却室内には、冷却器、および、冷却器で冷却された冷気を、冷蔵室１０２、製氷室１０３、切換室１０４、冷凍室１０５および野菜室１０６に送風する冷却ファンが配置される。さらに、冷却ファンからの風量を調節する風量調節ダンパが風路内に設置されている。また、冷却器およびその周辺に付着する霜および氷を除霜するために、ラジアントヒータ、ドレンパンおよびドレンチューブ蒸発皿等が筐体１０１に設けられている。
【００１６】
冷蔵室１０２は、冷蔵保存するために凍らない温度を下限に通常１℃〜５℃に設定され、最下部の野菜室１０６は、冷蔵室１０２と同等もしくは若干高い温度設定の２℃〜７℃に設定されている。また、冷凍室１０５は、冷凍温度帯に設定されており、冷凍保存のために通常−２２℃〜−１５℃で設定されているが、冷凍保存状態の向上のために、例えば−３０℃または−２５℃の低温で設定されてもよい。
【００１７】
製氷室１０３は、冷蔵室１０２内の貯水タンクから送られた水で、製氷室１０３内上部に設けられた自動製氷機で氷をつくり、製氷室１０３内下部に配置された貯氷容器に貯蔵する。
【００１８】
切換室１０４は、１℃〜５℃で設定される冷蔵温度帯、２℃〜７℃で設定される野菜温度帯、および、通常−２２℃〜−１５℃で設定される冷凍温度帯の温度帯以外に、冷蔵温度帯から冷凍温度帯の間で予め設定された温度帯に庫内温度を切り換えることが可能に構成されている。切換室１０４は、製氷室１０３に並設された、独立扉を備えた収納室であり、引き出し式の扉を備えることが多い。
【００１９】
なお、本実施の形態では、切換室１０４は、冷蔵温度帯から冷凍温度帯までの温度帯で庫内温度が設定可能な収納室として構成されているが、冷蔵は冷蔵室１０２および野菜室１０６に、冷凍は冷凍室１０５に委ねて、冷蔵と冷凍との中間の上記温度帯のみの切り換えに特化した収納室として設定されてもよい。また、特定の温度帯、例えば近年冷凍食品の需要が多くなってきたことに伴い、切換室１０４は、冷凍温度帯に固定された収納室として設定されてもよい。
【００２０】
野菜室扉１０６ａには、フレーム１１０によって支持された収納ケース１１１が取付けられている。引出しレール１１２は、野菜室１０６の内壁に固定されており、フレーム１１０は、引出しレール１１２上をスライドする構成となっている。また、フレーム１１０と野菜室扉１０６ａとは、一体形成されており、フレーム１１０および収納ケース１１１は、野菜室扉１０６ａの開閉に伴って動作する。
【００２１】
また、野菜室１０６の内壁には、扉開閉部１１６が引出しレール１１２の近くに設けられている。扉開閉部１１６は、モータおよびギア機構などで構成され、モータの動力をリンク１１７に伝達する。リンク１１７は、凹型の形状となっており、扉開閉部１１６内のガイド１１８に沿って動作する。フレーム１１０には、突起部１１９が設けられており、リンク１１７の凹部に突起部１１９が入り込んで係合すると、リンク１１７の動作に伴ってフレーム１１０が動作する。
【００２２】
なお、ガイド１１８は、単純な直線形状ではなく、図２Ａに示すように、野菜室扉１０６ａが閉扉状態では、リンク１１７と突起部１１９との係合が外れるように、直線形状の前方部分および後方部分それぞれにおいて、やや下方向への角度をなす部分を有するよう構成されている。ガイド１１８がこのように構成されている理由は、リンク１１７と突起部１１９とが常時係合されていた場合、ユーザが自動ではなく手動で野菜室扉１０６ａを開扉するときに、扉開閉部１１６内のギア機構またはモータが負荷となり、開扉に通常よりも強い力が必要となってしまうため、野菜室扉１０６ａが閉扉状態では、リンク１１７と突起部１１９との係合が外れるようにするためである。
【００２３】
ここで、野菜室扉１０６ａの自動開閉動作について説明する。
【００２４】
まず、制御部１２９（図４参照）の制御により、扉開閉部１１６において開扉動作が開始されると、リンク１１７と突起部１１９とがガイド１１８の直線区間において係合し、リンク１１７の動作に伴って野菜室扉１０６ａが開いていく。さらに、野菜室扉１０６ａが一定の開閉量開くと、リンク１１７は、ガイド１１８のやや下方向への角度を有する部分へ移動し、リンク１１７と突起部１１９との係合が外れ、野菜室扉１０６ａは、惰性でさらに少し開いて停止する。
【００２５】
次に、閉扉動作の場合は、上述の自動開扉動作の逆動作が行われる。具体的には、ユーザにより、突起部１１９がリンク１１７と係合できる位置まで野菜室扉１０６ａが閉じられたときに、自動閉扉が開始される。即ち、リンク１１７と突起部１１９とが係合し、野菜室扉１０６ａが閉じられる方向へとリンク１１７は動作する。扉が閉じられると、図２Ａに示すように、リンク１１７と突起部１１９との係合が外れ、自動開扉または手動開扉のいずれも可能な状態で、野菜室扉１０６ａは開扉操作があるまで待機する。
【００２６】
野菜室扉１０６ａが閉扉状態のときの野菜室１０６の密閉性を高めるため、密閉保持機構１２０が野菜室１０６の後方に設けられている。密閉保持機構１２０は、ばねまたはレールの傾斜等を利用して、開扉を妨げない程度の力でフレーム１１０を閉じる方向に引き込むよう構成されている。なお、密閉保持機構１２０は、扉開閉部１１６内に内蔵されていてもよい。
【００２７】
このような構成により、フレーム１１０、野菜室扉１０６ａおよび収納ケース１１１は、互いに接続され、連動して動作するため、扉開閉部１１６により、野菜室扉１０６ａを自動開閉することが可能となる。
【００２８】
なお、本実施の形態では、引出し式扉で構成された野菜室扉１０６ａを例に、自動開閉動作を説明しているが、自動開閉動作される扉は、引出し式扉に限られない。上述したように、引出し式扉の場合は、筐体と引出し式扉との間の電気的な接続を確保することが非常に困難であるため、本実施の形態においては、難易度が高い例を用いて自動開閉動作を説明したものであり、観音開き式扉等の他の仕様で構成された扉を自動開閉させる場合にも、本開示の内容は適用可能である。
【００２９】
また、野菜室扉１０６ａの前面には、扉開閉部１１６による自動開閉動作を開始させるトリガ信号を発生させるための操作部１２１が設けられている。操作部１２１は、ユーザのタッチ動作により反応する静電式タッチセンサ、抵抗式の軽い操作感のタッチセンサ、光学式の距離センサまたは人感センサ、もしくは音声認識装置等をインターフェイスとして備える。操作部１２１近傍には、ユーザが操作する位置を認識しやすいように、ＬＥＤ等の光により操作部１２１位置を表示する発光部１２２が設けられていてもよい。本実施の形態では、冷蔵庫１００が発光部１２２を有する場合を例として説明する。
【００３０】
さらに、野菜室１０６と冷凍室１０５とを区切る断熱仕切板１０９の、野菜室扉１０６ａの内壁と面する断熱仕切板前面１０９ａの内部または表面には、送電側回路部１１４が設けられている。また、野菜室扉１０６ａの断熱仕切板１０９と面する内壁の内部または表面には、受電側回路部１１５が設けられている。送電側回路部１１４と受電側回路部１１５とでワイヤレス給電装置１１３が構成されている。
【００３１】
なお、送電側回路部１１４が設けられる位置は、断熱仕切板１０９の野菜室扉１０６ａの内壁と面する断熱仕切板前面１０９ａの内部または表面に限られず、筐体１０１の、野菜室１０６が配置されている部分の内部あるいは表面に設けられていてもよい。例えば、送電側回路部１１４は、筐体１０１の背面壁１０１ａの、野菜室１０６後方に位置する部分の内部あるいは表面に設けられていてもよい。
【００３２】
また、送電側回路部１１４は、筐体１０１の側壁１０１ｂの、野菜室１０６が配置されている部分の内部あるいは表面に設けられていてもよい（図２Ｂ参照）。また、送電側回路部１１４は、断熱仕切板１０９の野菜室１０６側の内面１０９ｂの前面開口付近の内部あるいは表面に設けられていてもよいし、筐体１０１の底板の前面開口付近の内部あるいは表面に設けられていてもよい。
【００３３】
さらに、送電側回路部１１４は、筐体１０１内の空きスペースにおける、収納ケース１１１の出し入れが妨げられない位置に設けられていてもよい。例えば、図３に示すように、送電側回路部１１４が収納ケース等に収納されて、筐体１０１内の空きスペースにおける、野菜室扉１０６ａと対向する位置、例えば、野菜室扉１０６ａが閉扉時の野菜室扉１０６ａの内面と、引出しレール１１２の前面開口側の先端との間のスペース、または、引出しレール１１２の上方の前面開口付近のスペースなどに設けられていてもよい。
【００３４】
また、受電側回路部１１５が設けられる位置は、野菜室扉１０６ａの断熱仕切板１０９と面する内壁の内部または表面に限られず、野菜室１０６の収納ケース後壁１１１ａ（図２Ａ参照）の内部または表面に設けられていてもよい。この場合、受電側回路部１１５は、野菜室扉１０６ａが閉扉状態のときに、筐体１０１の背面壁１０１ａに設けられた送電側回路部１１４と対向する位置に設けられることが望ましい。また、受電側回路部１１５は、筐体１０１の側壁１０１ｂの野菜室１０６が配置されている部分に送電側回路部１１４が設けられている場合は、収納ケース側壁１１１ｂ（図２Ｂ参照）の、野菜室扉１０６ａが閉扉状態のときに送電側回路部１１４と対向する位置の内部または表面に設けられていてもよい。
【００３５】
また、受電側回路部１１５は、収納ケース１１１内の、断熱仕切板１０９の野菜室１０６側の内面１０９ｂ（図２Ａ参照）の前面開口付近に設けられた送電側回路部１１４と対向する位置に設けられていてもよいし、収納ケース１１１の底面外側の、筐体１０１の底板の前面開口付近に設けられた送電側回路部１１４と対向する位置に設けられていてもよい。さらに、受電側回路部１１５は、筐体１０１内の空きスペース（例えば、引出しレール１１２の前面開口側の先端と、野菜室扉１０６ａとの間のスペース、または、引出しレール１１２の上方の前面開口付近のスペース）に設けられた送電側回路部１１４と対向する位置に設けられていてもよい。
【００３６】
次に、図４を用いて、ワイヤレス給電装置１１３周辺の電気的接続構成について説明する。断熱仕切板１０９および野菜室扉１０６ａの間は、気密性確保および閉扉衝撃吸収のために、ガスケット（図示せず）を介して、距離ｄが保たれて閉扉状態が維持されている。この閉扉状態を検知するのが扉開閉状態検知部１３０である。扉開閉状態検知部１３０は、断熱仕切板１０９側に設けられたホールＩＣ等の磁気センサと、野菜室扉１０６ａ側に設けられたマグネット等の磁性体とが一対配置された電子式検知が一般的であるが、距離ｄ以上では接点が切れて距離がｄになると接点が接合する機械式のスイッチで構成されていてもよい。なお、扉開閉状態検知部１３０は、断熱仕切板１０９および野菜室扉１０６ａに設けられている構成に限られず、例えば、筐体１０１の野菜室１０６後方部分および収納ケース１１１後方部分に設けられていてもよいし（図２Ａ参照）、筐体１０１の側壁１０１ｂの野菜室１０６が配置されている部分、および、収納ケース側壁１１１ｂ（図２Ｂ参照）に設けられていてもよい。また、扉開閉状態検知部１３０は、断熱仕切板１０９の野菜室１０６側の内面１０９ｂの前面開口付近、または、筐体１０１の底板の前面開口付近に設けられていてもよい。
【００３７】
送電側回路部１１４は、図４に示すように、１次側制御部１２３と１次側コイル１２４とから構成されている。本実施の形態では、１次側コイル１２４は、断熱仕切板１０９の野菜室扉１０６ａに面する断熱仕切板前面１０９ａ（図２Ａ参照）の内部で、断熱仕切板前面１０９ａから断熱仕切板１０９の内方に、絶縁を確保する最小距離を有する位置に配置されている。本体制御回路基板１２７内には、電源部１２８および制御部１２９が備えられている。電源部１２８から１次側制御部１２３へ電力Ｓ１が供給され、制御部１２９と１次側制御部１２３との間で信号Ｓ２の送受信が行われる。また、制御部１２９は、扉開閉状態検知部１３０から、扉開閉状態検知部１３０により検知された扉開閉状態の情報を含む信号Ｓ５が入力される。
【００３８】
受電側回路部１１５は、図４に示すように、２次側制御部１２５と２次側コイル１２６とから構成されている。２次側コイル１２６は、野菜室扉１０６ａが閉じられたとき、そのコイル中心と、１次側コイル１２４のコイル中心との間の、双方のコイル中心から同じ距離の位置（同一直線状）に、野菜室扉１０６ａ内壁の表面が位置するように配置されている。また、２次側コイル１２６は、野菜室扉１０６ａ内壁の表面と、２次側コイル１２６の野菜室扉１０６ａ内壁の表面との最近接部分との間が、絶縁を確保する最小距離（絶縁距離）を有するように配置されている。２次側制御部１２５は、操作部１２１からの信号Ｓ３を入力するとともに、発光部１２２へ信号Ｓ４を出力する。
【００３９】
１次側コイル１２４および２次側コイル１２６の形状は、これらが設置される場所のスペースに応じて設計されることが望ましい。すなわち、限られたスペースに配置可能で、かつ、給電効率が最も高くなるような形状が望ましい。例えば、蚊取り線香のような渦巻き状の円盤形状または楕円形状、ばねのような細長い螺旋形状、および、方形状などのコイルが用いられる。
【００４０】
なお、送電側回路部１１４および受電側回路部１１５が、本実施の形態のようにコイルで構成されている場合、送電側回路部１１４の１次側コイル１２４、および、受電側回路部１１５の２次側コイル１２６の位置決めが重要となる。すなわち、受電側回路部１１５が設けられている扉が閉扉状態において、対向する１次側コイル１２４および２次側コイル１２６それぞれの位置にずれが生じると、給電効率が悪くなる。
【００４１】
１次側コイル１２４および２次側コイル１２６の少なくともいずれか一方に多少の位置ずれが生じた場合でも、１次側コイル１２４と２次側コイル１２６との間で効率よく給電が行われるようにするために、１次側コイル１２４および２次側コイル１２６のいずれか一方の、他方と対向する面の面積が、他方の一方と対向する面の面積より大きいことが好ましい。
【００４２】
例えば、筐体１０１内において、送電側回路部１１４の１次側コイル１２４を設置するためのスペースを確保することが難しい場合は、受電側回路部１１５の２次側コイル１２６の、送電側回路部１１４の１次側コイル１２４と対向する面の面積が、１次側コイル１２４の２次側コイル１２６と対向する面の面積よりも、大きく形成されることが好ましい。このような構成により、対向する１次側コイル１２４および２次側コイル１２６のいずれか一方に位置ずれが発生した場合でも、ワイヤレス給電を効率的に行うことができる。
【００４３】
一方、筐体１０１内において、送電側回路部１１４の１次側コイル１２４を設置するためのスペースが十分に確保される場合は、野菜室扉１０６ａに設けられた受電側回路部１１５の２次側コイル１２５の方が、位置ずれが発生し易い場合があることを考慮し、筐体１０１に設けられた送電側回路部１１４の１次側コイル１２４の、受電側回路部１１５の２次側コイル１２６と対向する面の面積が、２次側コイル１２６の１次側コイル１２４と対向する面の面積よりも、大きく形成されることが好ましい。このような構成により、対向する１次側コイル１２４および２次側コイル１２６のいずれか一方に位置ずれが発生した場合でも、ワイヤレス給電を効率的に行うことができる。
【００４４】
また、１次側コイル１２４および２次側コイル１２６の位置決めをより確実なものとするために、野菜室扉１０６ａおよび筐体１０１にガイド等が設けられていてもよい。
【００４５】
図５は、本開示の実施の形態の冷蔵庫の受電側回路部の外観斜視図である。ワイヤレス給電効率を高めるために、図５に示すように、本実施の形態の冷蔵庫１００において、受電側回路部１１５にばね１３６が設けられていてもよい。この場合、ばね１３６は、受電側回路部１１５の、送電側回路部１１４と対向する側と反対側に設けられる。ばね１３６は、２次側コイル１２６を有する受電側回路部１１５を、野菜室扉１０６ａの筐体１０１と対向する面に向けて（図５中の矢印の方向に）付勢する。
【００４６】
より具体的には、受電側回路部１１５は、ばね１３６の作用により、受電側回路部１１５の、送電側回路部１１４と面する端面が、野菜室扉１０６ａの筐体１０１と面する表面から、例えば数ｍｍ、外方に突出するように設けられていてもよい。このような構成により、野菜室扉１０６ａが閉じられるとき、筐体１０１側の端面（本実施の形態では、断熱仕切板前面１０９ａ）が先に受電側回路部１１５の端面と接触することになり、野菜室扉１０６ａの筐体１０１と面する表面と、筐体１０１側の端面が互いに接触するまで、ばね１３６が押される。これにより、受電側回路部１１５を送電側回路部１１４により密着させることができ、１次側コイル１２４および２次側コイル１２６間の距離を短くすることができる。
【００４７】
このように、受電側回路部１１５にばね１３６が設けられることにより、閉扉時に１次側コイル１２４および２次側コイル１２６をより精度よく当接させることができ、製造の公差により生じる受電側回路部１１５と送電側回路部１１４との距離が遠すぎる等の不具合によるワイヤレス給電効率の低下を抑制することができる。
【００４８】
以上のように構成された冷蔵庫１００について、以下その動作および作用について、図６の動作フローチャートを用いて説明する。
【００４９】
まず、ステップＳ１で、コンセント接続により電源が冷蔵庫１００に供給されると、本体制御回路基板１２７が動作を開始する。次に、ステップＳ２では、扉開閉状態検知部１３０が、野菜室扉１０６ａの開閉状態を検知して閉扉状態か否かを判断する。閉扉状態であれば、扉開閉状態検知部１３０が閉扉状態であることを信号Ｓ５として制御部１２９へ出力し、ステップＳ３へ進む。開扉状態であれば、扉開閉状態検知部１３０が開扉状態であることを信号Ｓ５として制御部１２９へ出力し、ステップＳ４へ進む。ステップＳ３では、制御部１２９が、野菜室扉１０６ａが閉扉状態であると判断し、電源部１２８を連動させ、電力供給の信号Ｓ１を１次側制御部１２３に出力し、ステップＳ５へ進む。また、ステップＳ４では、制御部１２９が、野菜室扉１０６ａが開扉状態であると判断し、電源部１２８からの電力供給を遮断させ、ステップＳ２に戻る。
【００５０】
次に、ステップＳ５では、１次側制御部１２３から予め規定された電圧および周波数の交流波形が１次側コイル１２４に印加され、２次側コイル１２６に交流波形を誘起させる。その誘起電圧が２次側制御部１２５で整流され、受電側回路部１１５として電力が供給され、ステップＳ６に進む。
【００５１】
ここで、電力給電方式としては、本実施の形態においては、１次側コイル１２４と２次側コイル１２６との間の距離が短く、１次側コイル１２４および２次側コイル１２６の位置が固定されていることから、出力が数Ｗで周波数が数百ｋＨｚ程度の電磁誘導方式が好ましい。しかし、電力給電方式は、これに限られず、周波数が数ＭＨｚの磁界共鳴方式、または、電波を復元して電力とする無線電波方式等が用いられてもよい。
【００５２】
ステップＳ６では、２次側制御部１２５から発光部１２２へ、電力と点灯情報とが信号Ｓ４として出力される。操作部１２１の近傍に配置された発光部１２２は、ＬＥＤ等の照明により、ユーザが操作部１２１の位置を理解し易いように、色・図形・点灯パターン等で操作部１２１を照射して、ユーザに操作部１２１の位置を知らせる。
【００５３】
次に、ステップＳ７では、ユーザが操作部１２１を操作して野菜室扉１０６ａの開扉操作を行ったか否かを、２次側制御部１２５が、操作部１２１から入力される信号Ｓ３に基づき判断する。開扉操作があれば、ステップＳ８へ進み、そうでなければステップＳ５へ戻り、開扉操作があるまで待機する。
【００５４】
ステップＳ８では、開扉操作があったという情報が、２次側制御部１２５から２次側コイル１２６を介して１次側コイル１２４へ、データ通信により送られ、さらに１次側制御部１２３へと送られる。さらに、１次側制御部１２３から制御部１２９へ信号Ｓ２が出力されると、制御部１２９は、扉開閉部１１６（図２Ａ参照）を動作させる。
【００５５】
ここで、具体的なデータ通信の方法としては、本実施の形態においては、電磁誘導方式であるため、電力交流波形の電力用周波数とは異なる、微小電圧の信号周波数を重畳させる方式がある。また、電力波形を一定周波数の矩形波とし、データ伝送時のみ、その周波数を変更する方式もある。あるいは、本実施の形態の冷蔵庫１００は、野菜室扉１０６ａに電力が供給できるよう構成されていることから、新たなデバイスが必要ではあるが、例えばＬＥＤとフォトダイオードとで構成される簡易な赤外線通信等を用いることにより、複雑な制御アルゴリズム設計および回路検証の時間を短縮することもできる。
【００５６】
次に、ステップＳ９では、扉開閉状態検知部１３０により、野菜室扉１０６ａが開扉状態であることが確認され、ステップＳ２に戻る。
【００５７】
以上述べたように、本実施の形態の冷蔵庫１００は、断熱壁で構成された筐体１０１と、筐体１０１内に備えられた複数の収納室（野菜室１０６を含む）と、複数の収納室を開閉自在に閉塞する複数の扉と、複数の扉の少なくとも一つに設けられた操作部１２１などの制御負荷に電力を供給するためのワイヤレス給電装置１１３とを有する。ワイヤレス給電装置１１３は、送電側回路部１１４および受電側回路部１１５を有し、送電側回路部１１４は、筐体１０１側に配置され、受電側回路部１１５は、複数の扉の少なくとも一つ側（野菜室扉１０６ａ）に配置されている。
【００５８】
このような構成により、複数の扉の少なくとも一つ（野菜室扉１０６ａ）側に筐体１０１側からハーネスレスの無線で電力が供給されることができる。これにより、開扉時に、筐体１０１との間にハーネス等による電気的接続を設けることが困難な扉（例えば、引き出し式扉で構成された野菜室扉１０６ａ）にも、電気的接続が必要な制御負荷および操作系インターフェイス等を搭載させることが可能になる。これにより、扉の開閉操作および操作部１２１の表示等において、操作性の向上および優れたＵＤ性を実現することができる。また、電気的接続にハーネス等を用いない為、ハーネス等の損傷のおそれのない、信頼性の高い冷蔵庫を提供できる。
【００５９】
なお、本実施の形態では、複数の扉の少なくとも一つの一例として、引出し式扉で構成された野菜室扉１０６ａを用いて説明したが、冷凍室扉１０５ａ等の他の扉であってもよいし、引き出し式扉に限られず、観音開き式扉等であってもよい。
【００６０】
なお、閉扉させる場合は、上述したように、例えばＬＥＤおよびフォトダイオードで構成される赤外線通信機構等が、複数の扉の少なくとも一つおよび筐体１０１に設けられることにより、扉に設けられた操作部１２１から、閉扉の操作があったという情報が、ワイヤレス給電装置１１３により、筐体１０１内に設けられた制御部１２９へ送られ、制御部１２９が扉開閉部１１６を駆動させ、扉が自動で閉扉される。
【００６１】
このように、本開示は、引出し式扉に限られず、自動開閉される扉を有する冷蔵庫において、幅広く適用されることができる。
【００６２】
また、本実施の形態の冷蔵庫１００は、ワイヤレス給電装置１１３の送電側回路部１１４の１次側コイル１２４が、断熱仕切板１０９の、野菜室扉１０６ａの内壁と面する断熱仕切板前面１０９ａの内部または表面に配置されている。また、ワイヤレス給電装置１１３の受電側回路部１１５の２次側コイル１２６が、野菜室扉１０６ａの、送電側回路部１１４の１次側コイル１２４と対向する（本実施の形態では、断熱仕切板１０９と面する）壁の内部または表面に配置されている。このような構成により、１次側コイル１２４と２次側コイル１２６との距離、すなわち送受信コイル間距離が、最小になる。したがって、本実施の形態によれば、ワイヤレス給電装置１１３により非常に効率の良い電力搬送を行うことが可能となり、少ない消費電力で、扉にワイヤレス給電を行うことが可能な冷蔵庫を提供することができる。
【００６３】
また、本実施の形態によれば、ワイヤレス給電装置１１３が、庫内スペースを減少させない位置（断熱仕切板１０９等）に設けられるため、庫内スペースを減少させることなく、ワイヤレス給電装置１１３が設けられることができる。
【００６４】
また、本実施の形態の冷蔵庫１００は、筐体１０１および扉における限られたスペースに設けられる１次側コイル１２４および２次側コイル１２６が、限られたスペースに設置可能で、かつ、高い給電効率が実現されるコイル形状を有するよう構成されていてもよい。このような構成により、庫内スペースを減少させることなく、ワイヤレス給電装置１１３が設けられることができる冷蔵庫を提供することができる。
【００６５】
また、本実施の形態の冷蔵庫１００は、複数の扉の少なくとも一つ（野菜室扉１０６ａ）および筐体１０１の少なくとも一方に、野菜室扉１０６ａの開閉状態を検知する扉開閉状態検知部１３０が設けられ、扉開閉状態検知部１３０からの信号Ｓ５に基づき、制御部１２９により、ワイヤレス給電装置１１３が制御されるよう構成されていてもよい。このような構成により、野菜室扉１０６ａが閉扉状態か開扉状態かが、制御部１２９により確実に判断されることができるので、送受信コイル間距離が離れて給電できない開扉状態では、電源部１２８からのワイヤレス給電装置１１３への電力供給を停止させることができる。これにより、無駄な消費電力を低減させることができ、電源容量を抑えることができる。なお、電源部１２８からのワイヤレス給電装置１１３への電力供給の停止は、例えば、制御部１２９に接続された給電切断操作部１３４（図８参照）により行われることができる。
【００６６】
また、本実施の形態の冷蔵庫１００は、筐体１０１には、複数の扉の少なくとも一つ（野菜室扉１０６ａ）を自動開閉させる扉開閉部１１６が設けられ、扉開閉部１１６を動作させる操作部１２１が、複数の扉の少なくとも一つ（野菜室扉１０６ａ）に設けられていてもよい。この場合、本実施の形態の冷蔵庫１００は、操作部１２１への電力供給およびデータ伝送は、ワイヤレス給電装置１１３により行われるよう構成されていてもよい。このような構成により、扉開閉部１１６により開閉動作される複数の扉の少なくとも一つ（野菜室扉１０６ａ）に操作部１２１が設けられるので、ユーザは開閉を行う扉（例えば、野菜室扉１０６ａ）以外の扉に設けられた操作部を操作する必要がなくなるため、操作の利便性に優れたインターフェイスを搭載することができる。
【００６７】
また、本実施の形態の冷蔵庫１００は、操作部１２１が、ユーザのタッチ動作により反応する静電式タッチセンサ、抵抗式の軽い操作感のタッチセンサ、光学式の距離センサまたは人感センサ、もしくは音声認識等をインターフェイスとして備える。このような構成により、ユーザが両手に食品等を保持し、扉の取っ手を利用して開扉することが困難な場合でも、操作部１２１にユーザの手の甲などをかざしたり、ユーザの体の一部などで軽くタッチしたりするだけで、開扉および閉扉することができる。これにより、操作性およびＵＤ性の高い冷蔵庫を提供することができる。
【００６８】
（実施の形態２）
図７は、本開示の実施の形態２による冷蔵庫１００の開扉状態での野菜室の縦断面図である。図８は、本開示の実施の形態２による野菜室の図７のＢ部の構成を示す概略図であり、図９は、本開示の実施の形態２による冷蔵庫の動作フローチャートである。図１０は、本開示の実施の形態２による冷蔵庫の別の動作フローチャートである。
【００６９】
なお、実施の形態１の冷蔵庫１００と同一構成については同一符号を付して、その説明を省略し、本実施の形態では、主に実施の形態１と異なる部分について説明する。
【００７０】
本開示の実施の形態２の冷蔵庫１００は、図７および図８に示すように、野菜室扉１０６ａ内に、充電部１３３がさらに設けられている。
【００７１】
また、本実施の形態の冷蔵庫１００は、野菜室扉１０６ａの内壁上部に、照明装置１３１が配置されていてもよい。照明装置１３１は、特に野菜室扉１０６ａが図７に示すような開扉状態のときに、ユーザが野菜室１０６内を見やすいように、野菜室１０６内が照射されるよう設置角度が調整されている。
【００７２】
また、本実施の形態の冷蔵庫１００は、野菜室扉１０６ａの前面側の任意の箇所に、表示装置１３２が設置されていてもよい。
【００７３】
また、本実施の形態の冷蔵庫１００は、冷蔵庫１００付近にユーザがいるかどうかを検知する人感センサ１３５が設けられていてもよい。この場合、制御部１２９が、人感センサ１３５の検知結果（信号Ｓ１１）に基づき、冷蔵庫１００付近にユーザがいると判定したとき、送電側回路部１１４から受電側回路部１１５に対して給電される。また、この場合、本実施の形態の冷蔵庫１００は、ユーザが冷蔵庫１００付近にいるときに、即ち、野菜室扉１０６ａがユーザにより開扉される可能性が高いときに、制御部１２９によりワイヤレス給電装置１１３が動作されてワイヤレス給電が行われ、それ以外のときは、ワイヤレス給電が行われない時間が設けられる等、ワイヤレス給電装置１１３の稼動が制御部１２９により制御されるよう構成されている。このような構成により、常時ワイヤレス給電装置に給電が行われている場合と異なり、ワイヤレス給電の必要がないときは給電が行われない時間を確保することができるため、消費電力を低減させることができる。なお、人感センサ１３５には、赤外線センサおよび照度センサなどの公知のセンサを用いることができる。また、人感センサ１３５は、冷蔵庫１００の各扉の前面側、または、筐体１０１の側面もしくは天面など、冷蔵庫１００付近に人がいることを検知できる位置に設けられることができる。
【００７４】
次に、図８を用いて、ワイヤレス給電装置１１３周辺の電気的接続構成について説明する。野菜室扉１０６ａが閉扉状態では、電源部１２８から供給される電力が送電側回路部１１４を通して受電側回路部１１５に送られ、受電側回路部１１５は給電される。充電部１３３は、受電側回路部１１５の２次側制御部１２５を通して信号Ｓ８を受け取り、充電される。また、表示装置１３２および照明装置１３１も、２次側制御部１２５から、それぞれ信号Ｓ７および信号Ｓ６を受け取り、閉扉状態で制御されることが可能になる。
【００７５】
次に、野菜室扉１０６ａが開扉状態になると、受電側回路部１１５への給電は遮断され、上述の信号Ｓ６、信号Ｓ７および信号Ｓ８での制御は不可能になる。そこで、閉扉状態で充電された充電部１３３から、野菜室扉１０６ａ側に設けられた制御負荷へ電力が供給される。本実施の形態では、充電部１３３から、表示装置１３２および照明装置１３１へ、それぞれ信号Ｓ１０および信号Ｓ９として電力が供給され、開扉状態でも、表示装置１３２および照明装置１３１は、制御されることが可能になる。
【００７６】
以上のように構成された本実施の形態の冷蔵庫１００について、以下その動作および作用について図９の動作フローチャートを用いて説明する。なお、図９の動作フローチャートにおいては、冷蔵庫１００が表示装置１３２および照明装置１３１を有する場合を例に、冷蔵庫１００の動作フローを説明する。
【００７７】
まず、ステップＳ２１で、コンセント接続により電源が冷蔵庫１００に供給されると、本体制御回路基板１２７が動作を開始する。次に、ステップＳ２２では、扉開閉状態検知部１３０により野菜室扉１０６ａの開閉状態が検知され、閉扉状態か否かを判断する。閉扉状態であれば、扉開閉状態検知部１３０が閉扉状態であることを信号Ｓ５として制御部１２９へ出力して、ステップＳ２３へ進む。開扉状態であれば、扉開閉状態検知部１３０が開扉状態であることを信号Ｓ５として制御部１２９へ出力して、ステップＳ２４へ進む。ステップＳ２３では、制御部１２９が、野菜室扉１０６ａが閉扉状態であると判断し、電源部１２８を動作させ、電力供給の信号Ｓ１を１次側制御部１２３に供給して、ステップＳ２５へ進む。また、ステップＳ２４では、制御部１２９が、野菜室扉１０６ａが開扉状態であると制御部１２９が判断し、電源部１２８からの電力供給を遮断して、ステップＳ３３へ進む。
【００７８】
次に、ステップＳ２５では、制御部１２９により、１次側制御部１２３から予め規定された電圧と周波数の交流波形とが１次側コイル１２４に印加され、２次側コイル１２６に交流波形を誘起させる。そして、その誘起電圧が２次側制御部１２５で整流され、受電側回路部１１５に電力が供給される。
【００７９】
以上の初期動作は、実施の形態１で説明した図６のステップＳ１からステップＳ５とほぼ同様である。
【００８０】
次に、ステップＳ２６では、２次側制御部１２５から電力充電の信号Ｓ８が充電部１３３へ出力され、充電部１３３が規定電圧まで充電される。
【００８１】
次に、ステップＳ２７では、２次側制御部１２５から発光部１２２へ、電力と点灯情報とが信号Ｓ４として出力される。操作部１２１の近傍に配置された発光部１２２は、ＬＥＤ等の照明により、色・図形・点灯パターン等で、ユーザが操作部１２１の位置を理解し易いように照射して、ユーザに操作部１２１の位置を知らせる。
【００８２】
そして、ステップＳ２８では、２次側制御部１２５から電力供給の信号Ｓ７が表示装置１３２へ出力され、表示装置１３２において、ユーザにより操作される扉および収納室の種類等が、文字等により表示される。これにより、ユーザに対して、操作される扉および収納室の種類等を視覚的に知らせる。さらに、表示装置１３２の発光により、操作部１２１の位置もユーザに分かりやすくなるため、発光部１２２による操作部１２１の位置表示を補うことができる。
【００８３】
次に、ステップＳ２９では、野菜室扉１０６ａが閉扉状態であるため、照明装置１３１は、野菜室１０６内を照射する必要はなく、２次側制御部１２５から電力遮断の信号Ｓ６が照明装置１３１へ出力され、照明装置１３１は消灯する。
【００８４】
なお、ステップＳ２９では、照明装置１３１が野菜室１０６内を照射する場合を想定して、照明装置１３１を消灯するとしたが、照明装置１３１が、野菜室扉１０６ａの前面側等に設置され、冷蔵庫１００の庫外照射用として適用される場合は、点灯を維持することも可能である。この場合、ステップＳ２９は、照明装置１３１を消灯させるか、或いは、照明装置１３１の点灯を維持させるか、選択可能なステップとして構成されてもよい。
【００８５】
また、冷蔵庫１００が発光部１２２および表示装置１３２を有しない場合は、ステップＳ２７およびステップＳ２８は不要となる。この場合は、図９におけるステップＳ２７およびステップＳ２８はスキップして、論理は、冷蔵庫１００が照明装置１３１を備えている場合はステップＳ２９へ、備えていない場合はステップＳ３０に進む。
【００８６】
次に、ステップＳ３０では、ユーザが操作部１２１を操作して野菜室扉１０６ａの開扉操作を行ったか否かを、２次側制御部１２５が、操作部１２１からの信号Ｓ３に基づき判断する。２次側制御部１２５により、開扉操作があったと判断された場合は、ステップＳ３１へ進み、開扉操作があったと判断されない場合は、ステップＳ２５に戻る。
【００８７】
次に、ステップＳ３１では、２次側制御部１２５から開扉操作があったことが、２次側コイル１２６を介して１次側コイル１２４へデータ通信で送られ、１次側制御部１２３が、更に制御部１２９へ開扉操作があったことを信号Ｓ２として出力する。制御部１２９は、信号Ｓ２に基づき、扉開閉部１１６（図７参照）を開扉動作させる。
【００８８】
次に、ステップＳ３２で、扉開閉状態検知部１３０により、野菜室扉１０６ａが開扉状態であることが確認される。
【００８９】
次に、ステップＳ３３では、充電部１３３から電力供給の信号Ｓ９が照明装置１３１へ出力され、野菜室扉１０６ａが開扉状態で、野菜室１０６内が奥まで照射される（図７参照）。また、ステップＳ２２の開扉状態で、表示装置１３２を動作させる必要がある場合、充電部１３３から電力供給の信号Ｓ１０を表示装置１３２へ出力させればよい。
【００９０】
さらに、開扉状態で野菜室扉１０６ａを閉扉させたい場合は、充電部１３３から操作部１２１へ電力供給される。そして、操作部１２１において閉扉操作があったことを、例えば冷蔵庫１００に追加搭載させた無線デバイス等から、信号またはデータ等として筐体１０１側へ電波伝送させ、制御部１２９により扉開閉部１１６を動作させて閉扉させればよい。
【００９１】
図１０は、本開示の実施の形態２による冷蔵庫の別の動作フローチャートである。図１０に示す冷蔵庫１００の動作フローにおいて、ステップＳ４１からステップＳ４７は、図９に示す冷蔵庫１００の動作フローのステップＳ２１からステップＳ２７と同様である。よって、ここでは、ステップＳ４１からステップＳ４７の説明は省略し、ステップＳ４８以降の動作について説明する。
【００９２】
なお、図１０においては、説明を簡略化するため、表示装置１３２および照明装置１３１を有していない冷蔵庫１００の動作フローを示している。冷蔵庫１００が表示装置１３２および照明装置１３１を有している場合は、図１０におけるステップＳ４７とステップＳ４８の間に、図９に示すステップＳ２８およびステップＳ２９と同様のステップが追加される。冷蔵庫１００が表示装置１３２および照明装置１３１のいずれか一方を有している場合は、図１０におけるステップＳ４７とステップＳ４８の間に、図９に示すステップＳ２８およびステップＳ２９のいずれか一方と同様のステップが追加される。また、図１０におけるステップＳ５２の後に、図９に示すステップＳ３３と同様のステップが追加される。
【００９３】
図１０において、ステップＳ４８では、ユーザが操作部１２１を操作して野菜室扉１０６ａの開扉操作を行ったか否かを、２次側制御部１２５が、操作部１２１からの信号Ｓ３に基づき判断する。２次側制御部１２５により、開扉操作があったと判断された場合は、ステップＳ４９へ進み、開扉操作があったと判断されない場合は、ステップＳ４５に戻る。
【００９４】
次に、ステップＳ４９では、野菜室扉１０６ａの開扉操作があったときの冷蔵庫１００の消費電力量が、所定の電力量を超えているか否かが、制御部１２９により判断される。冷蔵庫１００の消費電力量が所定電力量を超えている場合は、論理はステップＳ５０に進められ、超えていない場合は、ステップＳ５１に進められる。
【００９５】
ここで、野菜室扉１０６ａの開扉操作があったときの冷蔵庫１００の消費電力値が、所定の電力値を超えているか否かを判断するステップＳ（ステップＳ４９）が設けられているのは、冷蔵庫１００の電源容量を抑えるためである。すなわち、冷蔵庫１００において、製氷器および冷却ファン等が動作しているときは、消費電力量が大きくなる。製氷動作中および冷却ファン等の動作中に、野菜室扉１０６ａの開扉操作があった場合は、ワイヤレス給電を行うための電力が更に必要となる。そこで、野菜室扉１０６ａの開扉操作があったときの冷蔵庫１００の消費電力量が、所定の電力量を超えているか否かが、制御部１２９により判断され、所定の電力量を超えている場合は、ステップＳ５０に進む。そして、ステップＳ５０において、制御部１２９により、給電優先順位の低い動作に対する電力供給が、所定時間、停止されるよう、電力供給制御が行われる。例えば、野菜室扉１０６ａの開扉動作が、製氷動作よりも給電優先順位が高く設定されることにより、野菜室扉１０６ａの開扉操作があったときに製氷動作が行われている場合は、制御部１２９により製氷動作が停止される。このように、冷蔵庫１００が有する各種機器の動作に要する電力を供給する給電優先順位を、あらかじめ制御部１２９において設定しておく。給電優先順位の高い動作が行われるときは、給電優先順位の低い動作に対する電力供給が停止されるよう、制御部１２９により電力供給制御が行われる。
【００９６】
なお、所定の電力量は、冷蔵庫１００において電力供給を要する機器が動作したときに電源容量を超えない電力量に適宜設定される。
【００９７】
このような構成により、冷蔵庫１００の電源容量を増加させることなく、ワイヤレス給電装置１１３を適時に動作させることが可能となる。これにより、冷蔵庫１００の電源容量を抑えることができる。
【００９８】
ステップＳ４９において、野菜室扉１０６ａの開扉操作があったときの冷蔵庫１００の消費電力量が、所定の電力量を超えていない場合は、ステップＳ５１に進み、図９に示すステップＳ３１と同様に、野菜室扉１０６ａの開扉動作が行われる。そして、ステップＳ５２において、図９に示すステップＳ３２と同様に、野菜室扉１０６ａが開扉された状態となる。
【００９９】
以上説明したように、本実施の形態の冷蔵庫１００は、引出し式扉の野菜室扉１０６ａのワイヤレス給電装置１１３の受電側回路部１１５に、充電部１３３が設けられている。このような構成により、野菜室扉１０６ａが開扉状態でも充電部１３３からの電力供給により、操作部１２１および表示装置１３２等の制御負荷を動作させることができる。また、このような構成により、野菜室扉１０６ａが開扉状態でも、扉開閉部１１６を動作させて閉扉させるための操作部１２１が電気的に動作可能となるので、開扉状態でも軽い操作感で閉扉動作を実現させることができる。
【０１００】
また、本実施の形態の冷蔵庫１００においては、引出し式扉の野菜室扉１０６ａに表示装置１３２が設けられていてもよい。この場合、表示装置１３２への電力供給がワイヤレス給電装置１１３で行われ、野菜室扉１０６ａ表面で視覚的な表示が行われる。このような構成により、ユーザは操作部１２１の設置位置を照明点灯および文字表示等により一目で認識することができ、使い勝手の良い自動扉開閉機能が実現できる。また、各扉にその扉の内部の状態を示す表示（例えば、野菜室であることを示す表示、野菜室内の状態の表示等）を視覚的に行えるので、冷蔵庫１００が同じ形状の扉を有している場合でも、開扉する扉を取り違える等の間違いも低減することができる。
【０１０１】
また、本実施の形態の冷蔵庫１００は、引出し式扉の野菜室扉１０６ａに照明装置１３１が設けられていてもよい。このような構成により、照明装置１３１への電力供給がワイヤレス給電装置１１３で行われることができる。これにより、照明装置１３１で野菜室１０６内部あるいは冷蔵庫１００の庫外の冷蔵庫１００が設置されている室内を照射すること等が可能となる。よって、野菜室扉１０６ａが開扉状態でも野菜室１０６内部が照射されるので、収納室内の食品等の視認性を向上させることができるとともに、収納室内の状態を確認するために開扉する必要がなくなるので、開扉回数を減らすことができ、消費電力の低減を実現することもできる。また、照明装置１３１を野菜室扉１０６ａの前面側に設置する等、照明装置１３１の設置位置を適宜変更することにより、冷蔵庫１００の庫外の足元照明として照明装置１３１を利用することも可能となるので、夜間のフットライト等として活用でき、利便性および安全性をも向上することができる。
【０１０２】
なお、上述したように、本開示によれば、扉側にも電気的な負荷を搭載させることが可能となることから、上記の実施の形態で例示した構成の他、以下のような構成を有する冷蔵庫を提供することもできる。
【０１０３】
すなわち、本開示の実施の形態の一例による冷蔵庫１００は、１次側コイル１２４および２次側コイル１２６の少なくとも一方が断線等してワイヤレス給電装置１１３が故障した場合でも、ワイヤレス給電により充電された充電部１３３から、表示装置１３２および発光部１２２等の制御負荷に電力が供給されることができるよう構成されていてもよい。このような構成により、表示装置１１３において、ワイヤレス給電装置１１３が故障した旨を知らせたり、発光部１２２において、異常を知らせる光（ＬＥＤ等）を点灯させたりすることができる。なお、１次側コイル１２４および２次側コイル１２６の少なくとも一方における断線等の異常の発生の有無は、例えば、1次側コイルの電流値の変化に基づき、制御部１２９により判断される。
【０１０４】
また、本開示の実施の形態の一例による冷蔵庫１００は、扉の庫内側の壁面にカメラ等の撮影装置が設けられることもできる。このような構成においては、ワイヤレス給電により充電された充電部１３３から、撮影装置に電力が供給されるため、扉側に設けられた撮影装置により庫内を撮影することができるとともに、撮影された画像を表示装置１３２に表示させる等により、在庫管理を行うことも可能である。
【０１０５】
また、本開示の実施の形態の一例による冷蔵庫１００は、扉の前面側に、人感センサ１３５、および、人感センサ１３５の検知結果に基づき制御部１２９により動作される照明装置１３１が設けられることもできる（図８参照）。このような構成においては、扉付近に人がいることが人感センサ１３５により検知されたとき、制御部１２９により照明装置１３１が起動され、冷蔵庫周辺が照らされる。これにより、上述したように、夜間等、冷蔵庫１００が設置された部屋の照明のスイッチを押すために暗闇の部屋内を移動することなく、冷蔵庫１００付近の照明（例えば、フットライト等）を確保することもできる。
【０１０６】
また、本開示の実施の形態の一例による冷蔵庫１００は、人感センサ１３５が、冷蔵庫１００付近に所定時間、人がいないことを検知した場合は、制御部１２９から、給電切断操作部１３４（図８参照）に給電を切断させるための信号Ｓ１２が送られ、給電切断操作部１３４により、電源１２８からの電力の供給が切断されるよう構成されていてもよい。このような構成により、冷蔵庫１００付近に人がおらず、所定時間、開扉操作が行われていないときなど、充電部１３３に十分な電力が充電されていると制御部１２９が判断した場合は、給電切断操作部１３４により、電源部１２８からの電源の供給が停止される。これにより、電力消費を抑制し、消費電力の低減および電源容量の増加を抑えることができる。
【０１０７】
また、本開示の実施の形態の一例による冷蔵庫１００は、扉の前面側に、音声認識装置が設けられていてもよい。このような構成においては、ワイヤレス給電により充電された充電部１３３から、音声認識装置に電力が供給される。例えば、ユーザが音声認識装置に向かって「オープン」または「クローズ」と言えば、音声認識装置がこれを検知し、制御部１２９により扉開閉部１１６が動作され、所定の扉が開扉または閉扉される。
【０１０８】
また、本開示の実施の形態の一例による冷蔵庫１００は、扉の前面側に、携帯電話等を充電させるための端子等が設けられていてもよいし、携帯電話等のモバイル機器との通信を行うためのインターフェイスが設けられていてもよい。このような構成により、冷蔵庫１００の扉側に供給される電力を利用して、携帯電話等の充電も行え、また、携帯電話等のモバイル機器で作成した買い物メモなどを表示装置に表示させたりすることも可能となるので、さらに利便性を向上させることができる。
【産業上の利用可能性】
【０１０９】
本開示は、ハーネス等による電気的接続が困難な扉にも、自動開扉装置を動作させるためのインターフェイス等の電気的な負荷を設置することができ、操作性に優れた冷蔵庫を提供することができる。よって、本開示は、扉を有する家庭用および業務用冷蔵庫はもちろん、冷凍冷蔵ショーケース、および、温度調節が不要な収納庫等にも幅広く利用できる。
【符号の説明】
【０１１０】
１０１    筐体
１０１ａ    （筐体の）背面壁
１０１ｂ    （筐体の）側壁
１０２    冷蔵室
１０２ａ    冷蔵室扉
１０３    製氷室
１０４    切換室
１０５    冷凍室
１０５ａ    冷凍室扉
１０６    野菜室
１０６ａ    野菜室扉
１０８    表示操作部
１０９    断熱仕切板
１０９ａ    断熱仕切板前面
１０９ｂ    （断熱仕切板の）内面
１１０    フレーム
１１１    収納ケース
１１１ａ    収納ケース後壁
１１１ｂ    収納ケース側壁
１１２    引出しレール
１１３    ワイヤレス給電装置
１１４    送電側回路部
１１５    受電側回路部
１１６    扉開閉部
１１７    リンク
１１８    ガイド
１１９    突起部
１２０    密閉保持機構
１２１    操作部
１２２    発光部
１２３    １次側制御部
１２４    １次側コイル
１２５    ２次側制御部
１２６    ２次側コイル
１２７    本体制御回路基板
１２８    電源部
１２９    制御部
１３０    扉開閉状態検知部
１３１    照明装置
１３２    表示装置
１３３    充電部
１３４    給電切断操作部
１３５    人感センサ
１３６    ばね
【図１】
2017085913.tif 000003
【図２Ａ】
2017085913.tif 000004
【図２Ｂ】
2017085913.tif 000005
【図３】
2017085913.tif 000006
【図４】
2017085913.tif 000007
【図５】
2017085913.tif 000008
【図６】
2017085913.tif 000009
【図７】
2017085913.tif 000010
【図８】
2017085913.tif 000011
【図９】
2017085913.tif 000012
【図１０】
2017085913.tif 000013
【図１１】
2017085913.tif 000014
【図１２】
2017085913.tif 000015
【国際調査報告】
2017085913.tif 000016
2017085913.tif 000017
2017085913.tif 000018
2017085913.tif 000019
2017085913.tif 000020